(57)【特許請求の範囲】
【請求項１】
トップカール部１２を有する紙カップ１０に被せて使用される紙カップ用簡易蓋であって、
前記トップカール部１２の外周とほぼ同形の天面部２と、その両側に折れ線ａ、ａと折れ線ｂ、ｂを介してそれぞれ連設された折り曲げ部３、４とからなり、前記折れ線ａと前記折れ線ａの間、前記折れ線ｂと前記折れ線ｂの間の中央部分には、前記紙カップ１０に被せた時に前記トップカール部１２の外周線に沿った内側の位置にそれぞれ円弧形状の切れ線５、６を設け、該切れ線５、６の両端に外側に向けてそれぞれ小さな小切り込み５ａ、５ａ、小切り込み６ａ、６ａを設け、該小切り込み５ａ、５ａとそれぞれ前記折れ線ａ、ａとが交差し、前記小切り込み６ａ、６ａとそれぞれ前記折れ線ｂ、ｂとが交差し、前記切れ線５、６には外側に向けて一対の切り込み５ｂ、５ｂと一対の切り込み６ｂ、６ｂをそれぞれ設け、前記切り込み５ｂと切り込み５ｂの間、前記切り込み６ｂと切り込み６ｂの間を係止部としたことを特徴とする紙カップ用簡易蓋。
【発明の詳細な説明】
【０００１】
【発明の属する技術分野】
本発明は、紙カップに簡易的に被せるのに使用される紙カップ用簡易蓋に関するものである。
【０００２】
【従来の技術】
従来より、紙カップは、飲料用、即席食品用などに広く使用されている。この紙カップの蓋としては、密封する場合には、熱シールによるシール蓋が多く使用されている。簡易的な蓋を使用するテイクアウト用などの用途では、専用の被せ蓋を使用している。
【０００３】
【発明が解決しようとする課題】
しかしながら、専用の被せ蓋は、製造コストが高くなるという問題がある。従って、簡単に被せることができ、見た目がよく、持ち運びができる形態の紙カップ用蓋が望まれている。
【０００４】
本発明は、上記のような事情に鑑みてなされたものであり、その目的とするところは、紙カップに簡単に被せることができる体裁がよく、省資源、低コストの要求にも対応できる紙カップ用簡易蓋を提供することにある。
【０００５】
【課題を解決するための手段】
上記目的を達成するため、本発明は、トップカール部１２を有する紙カップ１０に被せて使用される紙カップ用簡易蓋であって、前記トップカール部１２の外周とほぼ同形の天面部２と、その両側に折れ線ａ、ａと折れ線ｂ、ｂを介してそれぞれ連設された折り曲げ部３、４とからなり、前記折れ線ａと前記折れ線ａの間、前記折れ線ｂと前記折れ線ｂの間の中央部分には、前記紙カップ１０に被せた時に前記トップカール部１２の外周線に沿った内側の位置にそれぞれ円弧形状の切れ線５、６を設け、該切れ線５、６の両端に外側に向けてそれぞれ小さな小切り込み５ａ、５ａ、小切り込み６ａ、６ａを設け、該小切り込み５ａ、５ａとそれぞれ前記折れ線ａ、ａとが交差し、前記小切り込み６ａ、６ａとそれぞれ前記折れ線ｂ、ｂとが交差し、前記切れ線５、６には外側に向けて一対の切り込み５ｂ、５ｂと一対の切り込み６ｂ、６ｂをそれぞれ設け、前記切り込み５ｂと切り込み５ｂの間、前記切り込み６ｂと切り込み６ｂの間を係止部としたことを特徴とする紙カップ用簡易蓋である。
【０００６】
本発明によれば、紙カップに簡単に被せることができる体裁がよく、省資源、低コストの要求にも対応できる紙カップ用簡易蓋を得ることができる。
【０００７】
【発明の実施の形態】
以下、図面を参照して本発明の実施形態について説明する。
【０００８】
図１は本発明に係る紙カップ用簡易蓋を被せた紙カップを示す斜視図および平面図である。紙カップ１０のトップカール部１２を係止して保持するように紙カップ用簡易蓋１の両側部の折り曲げ部３、４を下方に折り曲げて対向する係止部３ａ、４ａにより、紙カップ１０のトップカール部１２を係止している。
【０００９】
紙カップ１０は、図２に示すように、胴部１１の開口縁にトップカール部１２を有する一般的なものであり、紙カップ１０の形状としては、トップカール部１２を有しそのトップカール部１２の外周の形状が角丸の四角形、円形、楕円形であることが必要であり、大きさなどは特に限定されるものではない。
【００１０】
深絞り成形による紙トレーでも、トップカール部が有していればよい。
【００１１】
図３は、紙カップ用簡易蓋１のブランクの展開図である。紙カップ用簡易蓋１のブランク１ａは、図３−ａに示すように、天面部２と、その天面部２の両側辺に折れ線ａ、ｂを介して左右の折り曲げ部３、４を連設した全体形状になっている。天面部２は折り曲げ部３、４を除いて縦方向で紙カップ１０のトップカール部１２の外周に沿ってやや大きく設けている。そして、左右の折れ線ａ、ｂは、折り曲げ部３、４を折り曲げる上下端部だけであり、中央部分には、紙カップ１０のトップカール部１２の外周に沿ってやや小さく切れ線５、６を設けている。この切れ線５の両端には、外側に向けて小さな小切り込み５ａ、５ａを設け、切れ線６の両端には、外側に向けて小さな小切り込み６ａ、６ａを設け、さらに、切れ線５には、一対の切り込み５ｂ、５ｂを、切れ線６には一対の切り込み６ｂ、６ｂを設けている。そして、折り曲げ部３の内側の切り込み５ｂ、５ｂの間の部分（斜線部）を係止部３ａとし、切り込み６ｂ、６ｂの間の部分（斜線部）を係止部４ａとしている。
【００１２】
また、小切り込み５ａの端部と切り込み５ｂの端部との間に切り込みを入れることにより、図３−ｂに示すように、打ち抜かれた窓Ｗとしてもよい。
【００１３】
図３−ｃの波線部分は紙カップ１０のトップカール部１２の外周線Ｌの位置を示しており、外周線Ｌは、上下部においては、天面部２の内側に沿っており、左右部においては、切れ線５、６の外側に沿っている。
【００１４】
また、本発明の紙カップ用簡易蓋１に使用する材料としては、板紙単体、プラスチックシートなどがあげられる。あるいは、耐水性、耐油性を付与するために、内面あるいは外面にプラスチック層を設けた板紙を使用することもできる。使用する材料の例としては、板紙単体、ポリプロピレン（ＰＰ）シート、板紙／ポリエチレン（ＰＥ）、板紙／ポリエチレンテレフタレート（ＰＥＴ）、板紙／ポリプロピレン（ＰＰ）などがあげられる。なお、環境対応の観点からは、プラスチックの比率の少ない材料を使用することが好ましい。
【００１５】
上記の紙カップ用簡易蓋１を紙カップ１０に被せる手順は次のようである。
【００１６】
まず、天面部２を紙カップ１０のトップカール部１２の外周に合うように載せる。つぎに、左右の折れ線ａ、ｂのところで左右の折り曲げ部３、４をそれぞれ紙カップ１０の側面に向けて下向きに折り曲げる。さらに、折り曲げ部３、４の係止部３ａ、４ａを内側に押し込むことにより、係止部３ａ、４ａの先端がトップカール部１２の下部の凹部に入り込み、トップカール部１２を下側から係止した状態となり、紙カップ用簡易蓋１が紙カップ１０のトップカール部１２に簡易的に保持される。このように、左右の折り曲げ部３、４を折り曲げて、係止部３ａ、４ａを内側に押し込むだけで、紙カップ用簡易蓋１が紙カップ１０をロック状態で被せた状態とすることができる。
【００１７】
【実施例】
つぎに、本発明の紙カップ用簡易蓋について、実施例をあげて説明する。
まず、紙カップとして、下記の条件で板紙を主とする材料を用いてカップ成形により作製した。
【００１８】
形状：丸形（トップカール部直径外寸  １００ｍｍ、高さ  ８５ｍｍ）
内容量：１５０ｍｌ
材料構成：（内面）ＰＥ４０μｍ／カップ原紙２８０ｇ／ｍ2
つぎに、図３の展開図に示すようなブランクの紙カップ用簡易蓋を上記の紙カップに合わせた形状で作製した。具体的には、図に示した波線に紙カップのトップカール部の外周が合うような外周の形状の紙カップ用簡易蓋とし、材料としては、裏面にポリエチレン３０μｍを加工した３２０ｇ／ｍ2の板紙を使用し、板紙の表面に絵柄、表示などを印刷し、打ち抜き工程により、ブランクに作製した。この打ち抜き工程において、切れ線５、６、小切り込み５ａ、５ａ、６ａ、６ａ、切り込み５ｂ、５ｂ、６ｂ、６ｂの加工も行った。
実際に、テイクアウト用に、紙カップの中に内容物として惣菜を入れ、作製した紙カップ用簡易蓋を上から被せ、ついで、左右の折り曲げ部を下向きに折り曲げ、係止部を内側に押し込み、トップカール部１２の下側から係止することにより、紙カップ用簡易蓋が紙カップのトップカール部に簡易的に被せることができた。
【００１９】
【発明の効果】
以上説明したように、本発明の紙カップ用簡易蓋は、紙カップに簡単に被せることができる蓋であって、天面部の両側の折り曲げ片を折り曲げて、係止部を内側に押し込むだけでロック状態とすることができ、体裁がよく、一枚のブランクから作製できることから製造コストが安く、低コストの要求にも対応できる。また、使用する紙の量が少ないので、省資源の観点から好ましいものである。さらには、天面部を有効に使って効果的なデザインを施すこともできる。
【図面の簡単な説明】
【図１】本発明に係る紙カップ用簡易蓋を紙カップに被せた状態を示す斜視図および平面図である。
【図２】本発明に係る紙カップ用簡易蓋に組み合わされる紙カップを示す斜視図である。
【図３】本発明に係る紙カップ用簡易蓋のブランクの展開図である。
【符号の説明】
１    紙カップ用簡易蓋
１ａ  ブランク
２    天面部
３    折り曲げ部
３ａ  係止部
４    折り曲げ部
４ａ  係止部
５    切れ線
５ａ  小切り込み
５ｂ  切り込み
６    切れ線
６ａ  小切り込み
６ｂ  切り込み
１０    紙カップ
１１    胴部
１２    トップカール部
ａ    折れ線
ｂ    折れ線
Ｌ    外周線（紙カップのトップカール部）
Ｗ    窓
【図１】
0004508402.tif 000002
【図２】
0004508402.tif 000003
【図３】
0004508402.tif 000004